(57)【要約】【課題】周波数偏差の小さい装置クロックの出力が可能な携帯端末を提供する。【解決手段】装置内の回路の動作タイミングを決定する装置クロック２０１を、無線基地局から受信した無線信号、または、ＧＰＳ衛星から受信したＧＰＳ衛星信号、または、デジタルテレビジョン用の無線放送信号に含まれるクロック信号によって調整する。装置クロック２０１を調整する際に、受信した信号に含まれているクロック信号により、装置クロック２０１または該装置クロック２０１を２分周したクロックのＨｉｇｈレベル区間をカウント回路１０６にてカウントしたカウント結果を、偏差検出回路１０５にて、周波数調整不要範囲としてあらかじめ設定した閾値と比較した結果に基づいて、装置クロック２０１の周波数を調整する制御信号を出力する。前記カウント結果が前記閾値の範囲を超える場合、該制御信号により装置クロック２０１をあらかじめ定めた単位周波数だけ変更する。【選択図】        図１
2010199764.tif 000002
【特許請求の範囲】
【請求項１】
装置クロックにより装置内の回路が動作する携帯端末において、前記装置クロックを、無線基地局から受信した無線信号に含まれるクロック信号によって調整することを特徴とする携帯端末。
【請求項２】
装置クロックにより装置内の回路が動作する携帯端末において、前記装置クロックを、ＧＰＳ衛星から受信したＧＰＳ衛星信号に含まれるクロック信号によって調整することを特徴とする携帯端末。
【請求項３】
装置クロックにより装置内の回路が動作する携帯端末において、前記装置クロックを、デジタルテレビジョン用の無線放送信号に含まれるクロック信号によって調整することを特徴とする携帯端末。
【請求項４】
前記装置クロックを調整する手段として、受信した信号に含まれている前記クロック信号により、前記装置クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する手段を備えていることを特徴とする請求項１ないし３のいずれかに記載の携帯端末。
【請求項５】
前記装置クロックを調整する手段として、受信した信号に含まれている前記クロック信号により、前記装置クロックを２分周して生成した２分周クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する手段を備えていることを特徴とする請求項１ないし３のいずれかに記載の携帯端末。
【請求項６】
前記装置クロックを調整するための前記制御信号は、前記カウント結果が前記閾値の範囲内であれば、前記装置クロックが出力する周波数として、現在の状態を継続する信号であり、前記カウント結果が前記閾値の範囲を超えている場合は、前記装置クロックが出力する周波数を、あらかじめ定めた単位周波数だけ変更する信号であることを特徴とする請求項４または５に記載の携帯端末。
【請求項７】
前記装置クロックを生成する手段が、前記制御信号に基づいて指定される制御電圧を印加することにより、該制御電圧に応じた周波数のクロックを前記装置クロックとして生成する電圧制御型クロック発生手段であることを特徴とする請求項１ないし６のいずれかに記載の携帯端末。
【請求項８】
装置クロックにより装置内の回路が動作する携帯端末におけるクロック制御方法であって、前記装置クロックを、無線基地局から受信した無線信号に含まれるクロック信号によって調整することを特徴とするクロック制御方法。
【請求項９】
装置クロックにより装置内の回路が動作する携帯端末におけるクロック制御方法であって、前記装置クロックを、ＧＰＳ衛星から受信したＧＰＳ衛星信号に含まれるクロック信号によって調整することを特徴とするクロック制御方法。
【請求項１０】
装置クロックにより装置内の回路が動作する携帯端末におけるクロック制御方法であって、前記装置クロックを、デジタルテレビジョン用の無線放送信号に含まれるクロック信号によって調整することを特徴とするクロック制御方法。
【請求項１１】
前記装置クロックを調整するために、受信した信号に含まれている前記クロック信号により、前記装置クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力することを特徴とする請求項８ないし１０のいずれかに記載のクロック制御方法。
【請求項１２】
前記装置クロックを調整するために、受信した信号に含まれている前記クロック信号により、前記装置クロックを２分周して生成した２分周クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力することを特徴とする請求項８ないし１０のいずれかに記載のクロック制御方法。
【請求項１３】
前記装置クロックを調整するための前記制御信号は、前記カウント結果が前記閾値以内であれば、前記装置クロックが出力する周波数として、現在の状態を継続する信号であり、前記カウント結果が前記閾値を超えている場合は、前記装置クロックが出力する周波数を、あらかじめ定めた単位周波数だけ変更する信号であることを特徴とする請求項１１または１２に記載のクロック制御方法。
【請求項１４】
前記制御信号に基づいて指定される制御電圧を印加することにより、該制御電圧に応じた周波数のクロックを前記装置クロックとして生成することを特徴とする請求項８ないし１３のいずれかに記載のクロック制御方法。
【発明の詳細な説明】
【技術分野】
【０００１】
本発明は、携帯端末およびクロック制御方法に関し、特に、携帯電話機、ＰＨＳ（Personal Handy-phone System）端末、ＰＤＡ（Personal Digital Assistants：携帯型情報通信機器）等の携帯端末に好適に適用可能なクロック制御方法に関する。
【背景技術】
【０００２】
従来の携帯端末におけるクロック回路（ＣＬＫ回路）を、図６、図７を用いて説明する。図６は、従来の携帯端末の内部構成の要部の一例を示すブロック構成図である。図６に示すように、携帯端末は、全体を制御するＣＰＵ（Central Processing Unit）１、各種情報を画面表示する表示装置２、各種情報を入力するＫＥＹ３、無線信号を送受信する無線部４、ＣＰＵ１が扱う情報を保存するＲＡＭ（Random Access Memory）５、プログラムや各種設定情報を格納するＲＯＭ（Read Only Memory）６を備えている。
【０００３】
一方、図７は、図６に示す従来の携帯端末のＣＰＵ１の内部構成の要部を示すブロック構成図である。図７に示すように、ＣＬＫ回路１０３はＣＰＵ１内部の処理回路１０１の回路動作に必要なクロック信号（ＣＬＫ信号）を、装置内の各回路の動作タイミングを決定する装置クロックとして生成して、処理回路１０１に送出し、処理回路１０１は装置クロックを基に各種処理を行う。
【０００４】
近年の携帯端末では、高速化に伴い、ＣＬＫ回路１０３から出力する装置クロックとして、周波数偏差が小さいものを使用することが、回路の高速動作を実現するために必要になっている。このため、例えば、特許文献１の特開２００５−２４１３８０号公報「圧電デバイスならびに圧電デバイスを利用した携帯電話装置および圧電デバイスを利用した電子機器」にも記載されているように、安定度の高い水晶振動子を利用したＣＬＫ回路が用いられ、該ＣＬＫ回路で生成した装置クロックを用いて、回路を動作させるようになってきている。一方、近年における無線環境としては、無線基地局から送信されてくる無線信号の周波数偏差は小さく、周波数安定度も非常に高くなっている状況にある。
【先行技術文献】
【特許文献】
【０００５】
【特許文献１】特開２００５−２４１３８０号公報（第４−６頁）
【発明の概要】
【発明が解決しようとする課題】
【０００６】
以上のように、近年の携帯端末は高速化に対応するためのクロック源として水晶振動子が用いられるようになってきているが、かかる携帯端末においては、次のような問題がある。
【０００７】
第１の問題は、高安定度の水晶振動子は高価であるという点にある。つまり、安定度の高い水晶振動子を作成するための水晶の現状のカット方法では、一つの水晶柱から大量の水晶振動子を切り出すことはできず、水晶振動子が高価にならざるを得ない。
【０００８】
第２の問題は、水晶振動子は、一般に、図８のグラフに示すように、通電時間によって周波数偏差が発生してしまうという経時特性を有しており、たとえ、製造時に周波数調整を行ったとしても、時間が経過すると周波数偏差が大きくなるという点にある。なお、図８は、水晶振動子の経時変化特性を示すグラフである。
【０００９】
本発明は、かかる事情に鑑みてなされたものであり、近年、無線基地局やＧＰＳ衛星やデジタルテレビジョン放送局等から送信されてくる、周波数偏差が小さく、周波数安定度も高い無線信号のクロック信号を利用して、装置内の各回路の動作タイミングを決定する装置クロックの周波数偏差を調整することによって、周波数偏差の小さい装置クロックの出力が可能な携帯端末およびクロック制御方法を提供することを、その目的としている。
【課題を解決するための手段】
【００１０】
前述の課題を解決するため、本発明による携帯端末は、次のような特徴的な構成を採用している。
【００１１】
（１）装置クロックにより装置内の回路が動作する携帯端末において、前記装置クロックを、無線基地局から受信した無線信号に含まれるクロック信号によって調整する携帯端末。
【発明の効果】
【００１２】
本発明の携帯端末およびクロック制御方法によれば、以下のような効果を奏することができる。
【００１３】
受信した無線信号に同期した同期クロックすなわち無線基地局やＧＰＳ衛星から受信した無線信号あるいはデジタルテレビジョンの無線放送信号に同期した周波数安定度の高い同期クロックを用いて、携帯端末内の各回路を動作させるための装置クロックの周波数を調整することによって、実際に動作する装置クロックの周波数を決定しているので、周波数偏差の小さい安定した装置クロックを提供することが可能となる。
【図面の簡単な説明】
【００１４】
【図１】本発明に係る携帯端末の内部構成の要部の一例を示すブロック構成図である。
【図２】本発明に係る携帯端末装置の一例として図１に示した携帯端末のＣＰＵの内部構成の要部の一例を示すブロック構成図である。
【図３】図１、図２に示した携帯端末において使用されるカウント回路のカウント結果の一例を示すタイミングチャートである。
【図４】図１、図２に示した携帯端末において使用される偏差検出回路の動作の一例を示すフローチャートである。
【図５】本発明に係る携帯端末の内部構成の要部の図１とは異なる例を示すブロック構成図である。
【図６】従来の携帯端末の内部構成の要部の一例を示すブロック構成図である。
【図７】図６に示す従来の携帯端末のＣＰＵの内部構成の要部を示すブロック構成図である。
【図８】水晶振動子の経時変化特性を示すグラフである。
【発明を実施するための形態】
【００１５】
以下、本発明による携帯端末およびクロック制御方法の好適な実施例について添付図を参照して説明する。
【００１６】
（本発明の特徴）
本発明の実施形態の説明に先立って、本発明の特徴についてその概要をまず説明する。本発明は、携帯端末において、無線基地局からの無線信号を利用して周波数制御を行うことにより、当該携帯端末内部で利用する装置クロックの周波数偏差を小さくすることが可能な携帯端末およびクロック信号制御方法を実現していることを主要な特徴としている。
【００１７】
（本発明の実施形態）
図１は、本発明に係る携帯端末の内部構成の要部の一例を示すブロック構成図である。図１に示すように、本実施形態の携帯端末は、当該携帯端末の全体の制御を行うＣＰＵ１、各種情報を表示する機能を有する表示装置２、当該携帯端末へ各種情報を入力する機能を有するＫＥＹ３、当該携帯端末と無線基地局との間の無線信号の送受信を行う機能を有する無線部４、ＣＰＵ１と接続され、各種情報を記憶するＲＡＭ５、ＣＰＵ１と接続され、プログラム等を格納するＲＯＭ６を少なくとも備えている。
【００１８】
つまり、ＣＰＵ１は、携帯端末の入力処理等やプログラムの実行を行うとともに、無線部４が送受信する無線信号に含まれているクロック成分と同期した同期ＣＬＫ（同期クロック信号）を用いて、携帯端末内の基準タイミング信号（内部クロック信号）となる装置クロックを生成して、装置内の各回路に供給する。表示装置２は、ＣＰＵ１からの描画情報を用いて画像を表示する機能を有する。ＫＥＹ３は、携帯端末の入力情報をＣＰＵ１に送出する機能を有する。
【００１９】
無線部４は、携帯端末と無線基地局との間の無線信号の送受信を行い、携帯端末と無線基地局との間で無線制御に必要な制御情報やデータ等を送受信する。無線部４において無線基地局との間で送受信される制御情報やデータ等は、ＣＰＵ１により制御されており、ＣＰＵ１との間で送受信する。また、無線部４は、使用している無線信号に含まれているクロック信号に同期した同期ＣＬＫ（同期クロック信号）を生成して、ＣＰＵ１に送出する。
【００２０】
ＲＡＭ５は、ＣＰＵ１の情報記憶部やＲＯＭ６のデータ展開部として用いられるランダムアクセス可能なメモリである。ＲＯＭ６は、ＣＰＵ１の動作に必要なプログラム等を格納する機能を有する不揮発性のメモリである。
【００２１】
また、図２は、本発明に係る携帯端末の一例として図１に示した携帯端末のＣＰＵ１の内部構成の要部の一例を示すブロック構成図である。図２に示すように、本実施形態の携帯端末のＣＰＵ１は、入力処理等やプログラムの実行を行う処理回路１０１、後述する制御電圧２０４に応じて周波数を可変に変更させたクロックを装置クロック２０１として生成するＣＬＫ回路１０２、後述する制御データ２０３に基づいて指定された電圧値として、Ｄ／Ａ変換した制御電圧２０４を生成するＤ／Ａ回路１０４、後述するカウント結果２０２と、装置クロック２０１の周波数の調整が不要な範囲としてあらかじめ設定している設定値（閾値）との比較結果から、装置クロック２０１の周波数調整用の制御信号となる制御データ２０３を生成する偏差検出回路１０５、装置クロック２０１または該装置クロック２０１を２分周した２分周クロック信号の“Ｈｉｇｈレベル”の区間を同期ＣＬＫ１１に基づいてカウントを行い、カウント結果２０２を生成するカウント回路１０６を少なくとも備えている。
【００２２】
つまり、図２において、ＣＰＵ１内のカウント回路１０６が、無線部４の無線信号に含まれるクロック信号に同期した同期ＣＬＫ１１を用いて、ＣＬＫ回路１０２が生成した装置クロック２０１または該装置クロック２０１を２分周した２分周クロック信号の“Ｈｉｇｈレベル”の区間をカウントし、カウント結果２０２として、偏差検出回路１０５に送出する。
【００２３】
偏差検出回路１０５は、カウント結果２０２と、装置クロック２０１の周波数の調整が不要の範囲としてあらかじめ設定している閾値とを比較し、比較結果に応じて、装置クロック２０１の周波数の調整を行うための制御信号である制御データ２０３を保持または変更して、保持または変更した制御データ２０３をＤ／Ａ回路１０４に送出する。Ｄ／Ａ回路１０４は、制御データ２０３に基づいて、Ｄ／Ａ変換した制御電圧２０４をＣＬＫ回路１０２に出力する。ＣＬＫ回路１０２は、制御電圧２０４を用いて当該ＣＬＫ回路１０２内部の周波数を制御する電圧制御型のクロック発生手段（電圧制御型発振器）を構成しており、該制御電圧２０４に応じた周波数の装置クロック２０１を生成する。
【００２４】
（実施形態の動作の説明）
次に、本発明に係る携帯端末の一例として図１、図２に示した携帯端末の動作について、図３、図４を用いて説明する。図３、図４は、いずれも、本実施形態において使用されている装置クロック２０１の周波数調整処理の様子を表したものである。
【００２５】
つまり、図３は、図１、図２に示した携帯端末において使用されるカウント回路１０６のカウント結果２０２の一例を示すタイミングチャートであり、図４は、図１、図２に示した携帯端末において使用される装置クロック２０１の制御動作すなわち偏差検出回路１０５の動作の一例を示すフローチャートである。なお、以下の説明においては、説明を簡略化するために、無線部４が、無線基地局との通信を確立して、待ち受け状態にあり、かつ、装置クロック２０１の周波数の調整を行うための制御信号である制御データ２０３の値として“Ｑ”が設定されていた場合を例にとって説明することにする。
【００２６】
まず、携帯端末において無線部４が無線基地局との通信を確立して、待ち受け状態中にある場合の携帯端末の状態について説明する。図３の動作タイミングに示すように、カウント回路１０６は、装置クロック２０１のＤｕｔｙ変動を吸収するために、ＣＬＫ回路１０２が送出してきた装置クロック２０１を２分周して、２分周クロック３０１として生成する。
【００２７】
しかる後、無線部４から送出されてきた同期ＣＬＫ１１を用いて、２分周クロック３０１の“Ｈｉｇｈレベル”区間(つまり、図３の（時刻t４−時刻t１）の区間)をカウントし、カウント結果２０２として偏差検出回路１０５へ送出する。図３の例では、現在まで保持していたカウント値“α”を今回のカウント結果である“ｎ”に変更して、カウント結果２０２に設定している例を示している。なお、場合によっては、２分周クロック３０１に変換することなく、装置クロック２０１そのものの“Ｈｉｇｈレベル”区間をカウントするようにしても良い。
【００２８】
次に、図４のフローチャートを用いて、カウント回路１０６からカウント結果２０２を受け取った偏差検出回路１０５の動作について説明する。偏差検出回路１０５は、まず、無線部４が無線基地局との間の無線通信を確立して、無線信号に含まれているクロック信号に同期した同期ＣＬＫ１１を無線部４から出力している待ち受け状態にあるか否かを確認する（ステップＳ１）。同期ＣＬＫ１１を出力している待ち受け状態にあった場合には（ステップＳ１のＹｅｓ）、次に、偏差検出回路１０５内に保持している理想状態時のカウント値つまり装置クロック２０１の周波数の調整が不要な範囲として偏差検出回路１０５内にあらかじめ設定されている閾値と、カウント回路１０６から受け取ったカウント結果２０２との比較を行う（ステップＳ２）。
【００２９】
比較結果が、装置クロック２０１の周波数の調整不要の範囲としてあらかじめ保持されている閾値の範囲内であれば（ステップＳ２のＹｅｓ）、装置クロック２０１の周波数の調整を行うための制御信号である制御データ２０３の値を今までの値“Ｑ”のまま保持して、“Ｑ”に保持した該制御データ２０３をＤ／Ａ回路１０４へ送出する。一方、比較結果が、閾値の範囲を超えるような変動があった場合には（ステップＳ２のＮｏ）、ステップＳ３に移行して、制御データ２０３の値を、今までの値“Ｑ”から、比較結果に応じて変更する動作に移行する。
【００３０】
ステップＳ３において、カウント結果２０２が、閾値の範囲の下限値よりも小さい値であった場合には（ステップＳ３のＮｏ）、装置クロック２０１の周波数をあらかじめ定めた単位周波数だけ低下させるように変更するために、装置クロック２０１の周波数の調整を行うための制御信号である制御データ２０３の値を今までの値“Ｑ”に“１”加算して（Ｑ＝Ｑ＋１）、加算した制御データ２０３としてＤ／Ａ回路１０４へ送出する（ステップＳ４）。
【００３１】
一方、カウント結果２０２が、閾値の範囲の上限値よりも大きい値であった場合には（ステップＳ３のＹｅｓ）、逆に、装置クロック２０１の周波数をあらかじめ定めた単位周波数だけ上昇させるように変更するために、装置クロック２０１の周波数の調整を行うための制御信号である制御データ２０３の値を今までの値“Ｑ”から“１”減算して（Ｑ＝Ｑ−１）、減算した制御データ２０３としてＤ／Ａ回路１０４へ送出する（ステップＳ５）。
【００３２】
Ｄ／Ａ回路１０４は、偏差検出回路１０５から送出されてきた制御データ２０３に応じた制御電圧２０４を生成して、ＣＬＫ回路１０２へ送出する。ＣＬＫ回路１０２は、制御電圧２０４に基づく周波数の装置クロック２０１を生成して、処理回路１０１、カウント回路１０６へ送出する。したがって、カウント回路１０６がカウントしたカウント結果２０２が、装置クロック２０１の周波数の調整が不要の範囲としてあらかじめ設定されている閾値の範囲を超えた場合には、前の周期とはあらかじめ定めた単位電圧だけ変更された制御電圧２０４が生成され、変更された該制御電圧２０４に基づいて、前の周期とはあらかじめ定めた単位周波数だけ変更された周波数の装置クロック２０１を生成して送出する動作を行う。
【００３３】
かくのごとき動作を繰り返し行うことによって、カウント結果２０２が、装置クロック２０１の周波数の調整が不要の範囲としてあらかじめ設定されている設定値（閾値）の範囲内に収まるような制御を行うことになり、周波数偏差が少ない安定した装置クロック２０１を供給することが可能になる。
【００３４】
（本実施形態の効果の説明）
以上説明したように、前述した実施形態においては、以下に記載するような効果を奏する。
【００３５】
つまり、無線部４の無線信号に同期した同期クロックすなわち無線基地局から受信した無線信号に同期した周波数安定度の高い同期クロックを用いて、ＣＰＵ１内部のＣＬＫ回路１０２を制御することによって、装置クロック２０１の周波数を決定しているので、周波数偏差の小さい安定した装置クロック２０１を提供することが可能となる。
【００３６】
（本発明の他の実施形態）
本発明の他の実施形態として、図５を参照して詳細に説明する。図５は、本発明に係る携帯端末の内部構成の要部の図１とは異なる例を示すブロック構成図であり、図１に示す携帯端末と同様の機能を有する回路部については、図１と同じ符号を付して示している。図５に示す携帯端末は、図１の場合とは異なり、ＧＰＳ受信部７を備えている。ＧＰＳ受信部７は、ＧＰＳ衛星信号１２の受信装置であり、ＧＰＳ衛星から受信したＧＰＳ衛星信号１２をＣＰＵ１に送出する。ＧＰＳ衛星信号１２も、周波数偏差が小さく、周波数安定度が高い信号であり、前述した実施形態における無線基地局からの無線信号の代わりに、装置クロック２０１の調整用の信号として利用することが可能である。
【００３７】
ここで、図５の携帯端末においても、装置クロック２０１の制御方法は、無線基地局からの無線信号の代わりに、ＧＰＳ衛星からのＧＰＳ衛星信号を利用する点を除いて、前述した実施形態の場合と同様の動作であるので、図５の重複する説明は省略する。
【００３８】
なお、図５に示す本実施形態では、一例として、ＧＰＳ受信部７をさらに備え、ＧＰＳ衛星からのＧＰＳ衛星信号１２を受信する構成としているが、この他にも、例えば、ＤＴＶ（デジタルテレビジョン）用の無線放送信号や、他方式(例えばＧＳＭ：Global System for Mobile Communications)の携帯電話用無線信号などを受信する無線部を備えることによって、これらの周波数安定度が高いクロック源を利用して、同様の制御方法を実現するようにしても良い。
【００３９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）装置クロックにより装置内の回路が動作する携帯端末において、前記装置クロックを、ＧＰＳ衛星から受信したＧＰＳ衛星信号に含まれるクロック信号によって調整する携帯端末。
（３）装置クロックにより装置内の回路が動作する携帯端末において、前記装置クロックを、デジタルテレビジョン用の無線放送信号に含まれるクロック信号によって調整する携帯端末。
（４）前記装置クロックを調整する手段として、受信した信号に含まれている前記クロック信号により、前記装置クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する手段を備えている上記（１）ないし（３）のいずれかの携帯端末。
（５）前記装置クロックを調整する手段として、受信した信号に含まれている前記クロック信号により、前記装置クロックを２分周して生成した２分周クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する手段を備えている上記（１）ないし（３）のいずれかの携帯端末。
（６）前記装置クロックを調整するための前記制御信号は、前記カウント結果が前記閾値の範囲内であれば、前記装置クロックが出力する周波数として、現在の状態を継続する信号であり、前記カウント結果が前記閾値の範囲を超えている場合は、前記装置クロックが出力する周波数を、あらかじめ定めた単位周波数だけ変更する信号である上記（４）または（５）の携帯端末。
（７）前記装置クロックを生成する手段が、前記制御信号に基づいて指定される制御電圧を印加することにより、該制御電圧に応じた周波数のクロックを前記装置クロックとして生成する電圧制御型クロック発生手段である上記（１）ないし（６）のいずれかの携帯端末。
（８）装置クロックにより装置内の回路が動作する携帯端末におけるクロック制御方法であって、前記装置クロックを、無線基地局から受信した無線信号に含まれるクロック信号によって調整するクロック制御方法。
（９）装置クロックにより装置内の回路が動作する携帯端末におけるクロック制御方法であって、前記装置クロックを、ＧＰＳ衛星から受信したＧＰＳ衛星信号に含まれるクロック信号によって調整するクロック制御方法。
（１０）装置クロックにより装置内の回路が動作する携帯端末におけるクロック制御方法であって、前記装置クロックを、デジタルテレビジョン用の無線放送信号に含まれるクロック信号によって調整するクロック制御方法。
（１１）前記装置クロックを調整するために、受信した信号に含まれている前記クロック信号により、前記装置クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する上記（８）ないし（１０）のいずれかのクロック制御方法。
（１２）前記装置クロックを調整するために、受信した信号に含まれている前記クロック信号により、前記装置クロックを２分周して生成した２分周クロックのＨｉｇｈレベルの区間をカウントしたカウント結果を、周波数の調整が不要の範囲としてあらかじめ設定している閾値と比較し、比較した結果に基づいて、前記装置クロックの周波数を調整するための制御信号を出力する上記（８）ないし（１０）のいずれかのクロック制御方法。
（１３）前記装置クロックを調整するための前記制御信号は、前記カウント結果が前記閾値以内であれば、前記装置クロックが出力する周波数として、現在の状態を継続する信号であり、前記カウント結果が前記閾値を超えている場合は、前記装置クロックが出力する周波数を、あらかじめ定めた単位周波数だけ変更する信号である上記（１１）または（１２）のクロック制御方法。
（１４）前記制御信号に基づいて指定される制御電圧を印加することにより、該制御電圧に応じた周波数のクロックを前記装置クロックとして生成する上記（８）ないし（１３）のいずれかのクロック制御方法。
【符号の説明】
【００４０】
１          ＣＰＵ
２          表示装置
３          ＫＥＹ
４          無線部
５          ＲＡＭ
６          ＲＯＭ
７          ＧＰＳ受信部
１１        同期ＣＬＫ
１２        ＧＰＳ衛星信号
１０１      処理回路
１０２      ＣＬＫ回路
１０３      ＣＬＫ回路
１０４      Ｄ／Ａ回路
１０５      偏差検出回路
１０６      カウント回路
２０１      装置クロック
２０２      カウント結果
２０３      制御データ
２０４      制御電圧
３０１      ２分周クロック
【図１】
2010199764.tif 000003
【図２】
2010199764.tif 000004
【図３】
2010199764.tif 000005
【図４】
2010199764.tif 000006
【図５】
2010199764.tif 000007
【図６】
2010199764.tif 000008
【図７】
2010199764.tif 000009
【図８】
2010199764.tif 000010